(57)【要約】【課題】  自身の正常な動作確認を容易に行えて、ＬＥＤ光源ユニットを信頼性よく検査できるＬＥＤ光源ユニット用チェッカーを提供する。【解決手段】  ＬＥＤ負荷用チェッカー１は、直流の定電流を出力端１０から出力可能に形成された定電流源２と、擬似抵抗３と、ＬＥＤ負荷９または擬似抵抗３を出力端１０ａ，１０ｂ間に接続させる接続手段４と、ＬＥＤ負荷９の順電圧または擬似抵抗３の両端間電圧を検出する電圧検出手段５と、電圧検出手段５が検出した電圧値と予め設定された基準値とを比較して評価する評価手段６と、評価手段６の評価結果を表示する表示手段７と、を具備している。【選択図】図１
2013097964.tif 000002
【特許請求の範囲】
【請求項１】
ＬＥＤ負荷が接続される出力端を有し、入力した交流電流を直流に変換し定電流を前記出力端から出力可能に形成された定電流源と；
擬似抵抗と；
前記ＬＥＤ負荷の検査時に前記ＬＥＤ負荷を前記出力端間に接続させ、自己診断時に前記擬似抵抗を前記出力端間に接続させる接続手段と；
前記出力端間に接続され、前記ＬＥＤ負荷の順電圧または前記擬似抵抗の両端間電圧を検出する電圧検出手段と；
この電圧検出手段が検出した電圧値と予め設定された基準値とを比較して評価する評価手段と；
この評価手段の評価結果を表示する表示手段と；
を具備していることを特徴とするＬＥＤ負荷用チェッカー。
【請求項２】
入力した交流電流を直流に変換し定電流を外部のＬＥＤ負荷に出力可能に形成された定電流源と；
擬似抵抗と；
前記ＬＥＤ負荷または前記擬似抵抗を前記定電流源の出力間に接続させる接続手段と；
前記ＬＥＤ負荷の順電圧または前記擬似抵抗の両端間電圧と予め設定された基準値と比較して評価する評価手段と；
この評価手段の評価結果を表示する表示手段と；
を具備し、前記ＬＥＤ負荷の検査時には、前記ＬＥＤ負荷を前記定電流源の出力間に接続させ、自己診断時には、前記擬似抵抗を前記定電流源の出力間に接続させて前記評価手段の評価結果を得るようにしたことを特徴とするＬＥＤ負荷用チェッカー。
【請求項３】
前記定電流源に入力電流が入力されたときに、前記接続手段により前記擬似抵抗が前記定電流源の出力間に接続され、前記擬似抵抗の両端間電圧と予め設定された基準値とを比較して評価し、その評価結果を表示する一連の動作が自動的に行われることを特徴とする請求項１または２記載のＬＥＤ負荷用チェッカー。
【発明の詳細な説明】
【技術分野】
【０００１】
本発明の実施形態は、光源としてのＬＥＤ負荷を検査するＬＥＤ負荷用チェッカーに関する。
【背景技術】
【０００２】
光源としてＬＥＤ負荷を用いた照明装置は、種々の分野で用いられている。その照明装置の１つとして、例えば空港、飛行場等の滑走路や誘導路に設置されるＬＥＤ式航空標識灯が知られている。このＬＥＤ式航空標識灯は、ＬＥＤ負荷がＬＥＤ光源ユニットに形成され、ＬＥＤ負荷を点灯するＬＥＤ点灯装置がＬＥＤ点灯ユニットに形成され、ＬＥＤ点灯装置が外部からの調光信号に応じてＬＥＤ負荷を点灯制御している。
【０００３】
航空標識灯は、航空機の離着陸や地上走行に必要な視覚的情報を提供し、航空機の安全運航を支える重要な役目を担っている。このため、ＬＥＤ負荷が長寿命であるＬＥＤ式航空標識灯においても、例えば数ヶ月に一度の定期検査を行い、ＬＥＤ光源ユニットやＬＥＤ点灯ユニット等の不具合による不点灯などの不調状態の有無をチェックしている。この定期検査は、ＬＥＤ式航空標識灯を設置場所から持ち帰り、検査場で行われている。そして、検査用の定電流電源からＬＥＤ光源ユニットやＬＥＤ点灯ユニットに定格電流を供給し、ＬＥＤ負荷の定格点灯状態で所定の検査が行われている（例えば特許文献１参照。）。
【０００４】
本出願人は、先に出願した発明（特願２０１１−６８４６１）において、ＬＥＤ光源ユニットの検査が行えるＬＥＤ光源ユニット用チェッカーを出願している。このＬＥＤ光源ユニット用チェッカーは、ＬＥＤ光源ユニットへ所定の期間だけ所定の定電流を供給するので、ＬＥＤ自体の自己発熱の影響を受けずに、ＬＥＤ光源ユニットの良否を適切に行える。
【０００５】
しかし、ＬＥＤ光源ユニット用チェッカーは、それ自体が正常に動作していないと、ＬＥＤ光源ユニットの良否を判断することができなく、または、判断結果が誤ってしまうことになる。また、ＬＥＤ光源ユニット用チェッカーの正常な動作確認がされていないと、判断結果の信頼性に確信を持つことができない。そこで、ＬＥＤ光源ユニット用チェッカーにおいても、定期的にまたは上記検査時などにおいて、出力のチェックなどの動作確認が必要となっている。
【先行技術文献】
【特許文献】
【０００６】
【特許文献１】特開２００８−２１０６４７号公報（第６頁、第１図）
【発明の概要】
【発明が解決しようとする課題】
【０００７】
しかしながら、ＬＥＤ光源ユニット用チェッカーの動作確認は、それ自体、ＬＥＤ光源ユニットの良否を検査するときと同様の手間や時間を要するという問題がある。
【０００８】
本実施形態は、自身の正常な動作確認を容易に行えて、ＬＥＤ負荷を信頼性よく検査できるＬＥＤ負荷用チェッカーを提供することを目的とする。
【課題を解決するための手段】
【０００９】
本実施形態のＬＥＤ負荷用チェッカーは、定電流源、擬似抵抗、接続手段、電圧検出手段、評価手段および表示手段を有して構成される。
【００１０】
定電流源は、ＬＥＤ負荷が接続される出力端を有し、入力した交流電流を直流に変換し定電流を出力端から出力可能に形成されている。
【００１１】
接続手段は、ＬＥＤ負荷の検査時にＬＥＤ負荷を定電流源の出力端間に接続させ、自己診断時に擬似抵抗を出力端間に接続させる。電圧検出手段は、定電流源の出力端間に接続されていて、ＬＥＤ負荷の順電圧または擬似抵抗の両端間電圧を検出する。
【００１２】
評価手段は、電圧検出手段が検出した電圧値と予め設定された基準値とを比較して評価し、表示手段は、評価手段の評価結果を表示する。
【発明の効果】
【００１３】
本発明の実施形態によれば、定電流源の出力端間に擬似抵抗を接続し、この擬似抵抗の両端間電圧と予め設定された基準値とを比較して評価し、その評価結果を表示することにより、ＬＥＤ負荷用チェッカーが正常に動作してＬＥＤ負荷を正常に検査可能であることを確認できる。
【図面の簡単な説明】
【００１４】
【図１】本発明の実施形態を示すＬＥＤ負荷用チェッカーのブロック図である。
【図２】同じく、ＬＥＤ負荷用チェッカーの概略平面図である。
【図３】同じく、ＬＥＤ負荷用チェッカーの概略側面図である。
【図４】同じく、ＬＥＤ負荷用チェッカーの一部分の回路図である。
【図５】同じく、ＬＥＤ負荷用チェッカーの残余部分の回路図である。
【発明を実施するための形態】
【００１５】
以下、本発明の一実施の形態について、図面を参照して説明する。
【００１６】
本実施形態のＬＥＤ負荷用チェッカー１は、図１ないし図５に示すように構成される。図１において、ＬＥＤ負荷用チェッカー１は、定電流源２、擬似抵抗３、接続手段４、電圧検出手段５、評価手段６、表示手段７および制御手段８を有して形成されている。ＬＥＤ負荷用チェッカー１は、外部のＬＥＤ負荷９を検査するものである。このＬＥＤ負荷９は、ＬＥＤ光源ユニットに形成されて、例えば、空港、飛行場等の滑走路や誘導路に設置されるＬＥＤ式航空標識灯に収納されている。ＬＥＤ光源ユニットは、ＬＥＤ負荷９から放射される色光やＬＥＤ負荷９の数量（灯数）などに応じた複数の種類例えば１３種類のものからなっている。
【００１７】
定電流源２は、出力端１０を有している。定電流源２は、ＬＥＤ負荷９を検査するための電源であり、また、ＬＥＤ負荷用チェッカー１がＬＥＤ負荷９を正常に検査できるか否かの自己診断をするための電源に用いられるものである。そして、定電流源２は、商用交流電源Ｖｓから入力される交流電流を直流に変換するとともに定電流例えば３５０ｍＡを出力端１０から出力可能に形成されている。
【００１８】
定電流源２の出力端１０の端子１０ａ，１０ｂには、ＬＥＤ負荷９または擬似抵抗３のいずれかの両端が接続される。擬似抵抗３は、所定の抵抗値を有する固定抵抗からなっている。
【００１９】
接続手段４は、擬似抵抗３またはＬＥＤ負荷９のいずれかを定電流源２の出力端１０の端子１０ａ，１０ｂ間に接続させるように形成されている。ＬＥＤ負荷９は、接続手段４に電気接続されている接続具１１の端子１１ａ，１１ｂに図示しないケーブルにより接続される。擬似抵抗３またはＬＥＤ負荷９には、定電流源２からの定電流が流れる。
【００２０】
電圧検出手段５は、出力端１０の端子１０ａ，１０ｂ間に接続されていて、当該端子１０ａ，１０ｂ間に発生する電圧を検出するように形成されている。すなわち、電圧検出手段５は、擬似抵抗３の両端間電圧またはＬＥＤ負荷９の順電圧を検出するものである。
【００２１】
評価手段６は、電圧検出手段５が検出した電圧値を入力し、当該検出電圧値と予め設定された基準値とを比較して評価するように形成されている。すなわち、ＬＥＤ負荷用チェッカー１の自己診断において、検出電圧値が基準値の範囲内にあると、ＬＥＤ負荷用チェッカー１がＬＥＤ負荷９（ＬＥＤ光源ユニット）を正常に検査できると判定し、逆に、検出電圧値が基準値の範囲外にあると、ＬＥＤ負荷用チェッカー１が不良であると判定するものである。また、ＬＥＤ負荷９の検査において、検出電圧値が検査用基準値の範囲内にあると、ＬＥＤ負荷９が正常であると判定し、逆に、検出電圧値が検査用基準値の範囲外にあると、ＬＥＤ負荷９が不良であると判定するものである。基準値および検査用基準値は、ＬＥＤ負荷９の種類等に応じて予め設定されている。
【００２２】
表示手段７は、評価手段６の評価により得られた評価結果を表示するように形成されている。そして、制御手段８は、接続手段４、電圧検出手段５、評価手段６および表示手段７が順次動作するように、それらを制御するように形成されている。評価手段６および制御手段８は、マイコン１２に形成されている。評価手段６の比較、判定の処理は、マイコン１２のＣＰＵ（中央処理装置）において実行される。また、制御手段８による接続手段４、電圧検出手段５、評価手段６および表示手段７の一連の動作は、マイコン１２のＲＯＭ（リードオンリーメモリー）に記憶されたプログラムに基づいて実行される。プログラムには、検出電圧値と比較される基準値および検査用基準値が書き込まれている。
【００２３】
ＬＥＤ負荷用チェッカー１は、図３に示すように、上面側に平面部１３ａ、傾斜部１３ｂおよび平面部１３ｃを有する略箱状に形成された本体部１３を備えている。この本体部１３は、平坦状の底面部１３ｄに設けられた複数個のゴム脚１４により床面に設置されている。そして、本体部１３の側面１３ｅに接続具１１およびこの接続具１１に電気的に並列接続されている他の接続具１５が並設されている。接続具１１および接続具１５は、ＬＥＤ負荷９（ＬＥＤ光源ユニット）の種類に応じて図示しないケーブルによりＬＥＤ負荷９に接続される。
【００２４】
本体部１３の平面部１３ａおよび傾斜部１３ｂは、操作部位および表示部位となっている。図２に示すように、平面部１３ａには、ＬＥＤ負荷９（ＬＥＤ光源ユニット）の予め設定された番号を表示するユニット番号表示部１６、このユニット番号表示部１６の右側横にＬＥＤ負荷９を選択する選択スイッチ１７ａ，１７ｂ、ユニット番号表示部１６の左側横にＬＥＤ負荷用チェッカー１自体の検査結果を表示する表示部１８ａ，１８ｂと、マイコン１２をリセットするリセットスイッチ１９がそれぞれ設けられている。また、傾斜部１３ｂには、ＬＥＤ負荷９（ＬＥＤ光源ユニット）の正常（ＯＫ）を表示する表示部２０ａおよび不良（ＮＧ）を表示する表示部２０ｂ、電源スイッチ２１およびＬＥＤ負荷９の検査を開始させるスタートスイッチ２２が設けられている。
【００２５】
選択スイッチ１７ａ，１７ｂ、リセットスイッチ１９、電源スイッチ２１およびスタートスイッチ２２は、それぞれ表示ランプ付きとなっている。表示部１８ａ，１８ｂおよび表示部２０ａ，２０ｂは、表示手段を形成し、いずれもＬＥＤ等の光学的手段を用いて表示されるようになっている。そして、表示部１８ａおよび表示部２０ａは、例えば緑色を表示にし、表示部１８ｂおよび２０ｂは、例えば赤色を表示にしている。
【００２６】
選択スイッチ１７ａは、ユニット番号表示部１６に表示される番号を上昇させるためのアップスイッチであり、選択スイッチ１７ｂは、ユニット番号表示部１６に表示される番号を下降させるためのダウンスイッチである。接続具１１または接続具１５に接続されるＬＥＤ負荷９（ＬＥＤ光源ユニット）に応じて選択スイッチ１７ａ，１７ｂが操作され、ユニット番号表示部１６に当該ＬＥＤ負荷９の番号が表示される。ＬＥＤ負荷９は、その数量や光色などに応じて異なる種類例えば１３種類を有している。ＬＥＤ式航空標識灯は、ＬＥＤ負荷９の種類に応じた異なる種類からなっている。
【００２７】
そして、表示部１８ａは、ＬＥＤ負荷用チェッカー１の検査結果が正常（ＯＫ）である時に表示され、表示部１８ｂは、逆に不良（ＮＧ）であるときに表示される。
【００２８】
また、本体部１３の平面部１３ｃには、開閉蓋２２が蝶番２３およびパチン錠２４により取り付けられている。本体部１３の平面部１３ｃの内部は、ＬＥＤ負荷９と接続具１１，１５とを接続するケーブルの収納部となっており、当該ケーブルの取り出しまたは収納のときに開閉蓋２２が開閉される。
【００２９】
以下、ＬＥＤ負荷用チェッカー１の回路構成について、図４および図５を用いて詳述する。
【００３０】
図４において、定電流源２は、ＡＣ−ＤＣアダプター２５および定電流回路２６などを備えて形成されていて、入力側に図示しないコンセントに差し込まれるプラグ２７、出力側に出力端１０の端子１０ａ，１０ｂを有している。ＡＣ−ＤＣアダプター２５は、その入力側が電源スイッチ２１を介してプラグ２７に接続され、商用交流電源（ＡＣ１００Ｖ）Ｖｓを直流電源（ＤＣ２５Ｖ）に変換するように形成されている。ＡＣ−ＤＣアダプター２５の出力間には、電源スイッチ２１の表示ランプ２８が接続されている。表示ランプ２８は、電源スイッチ２１のオンオフ状態を表示する。
【００３１】
定電流回路２６は、ＡＣ−ＤＣアダプター２５から出力された直流電源を入力し、定電流例えばＤＣ３５０ｍＡを出力するように形成されている。また、定電流回路２６は、マイコン１２からのオンオフ制御信号により、定電流を出力するように形成されている。すなわち、マイコン１２からのオン制御信号を入力すると定電流を出力し、オフ制御信号を入力すると電流を出力しない。定電流回路２６の出力側は、出力端１０の端子１０ａ，１０ｂに接続されている。
【００３２】
出力端１０の端子１０ａ，１０ｂ間には、接続手段としてのリレー２９を介して擬似抵抗３が接続され、またはリレー２９を介して接続具１１の端子１１ａ，１１ｂが接続される。端子１１ａ，１１ｂには、検査されるＬＥＤ負荷９が接続される。また、端子１１ａ，１１ｂ間には、図示しない接続具１５が接続されている。接続具１５には、接続具１５に対応する検査用のＬＥＤ負荷９（ＬＥＤ光源ユニット）が接続される。出力端１０の端子１０ａ，１０ｂ間には、リレー２９により、擬似抵抗３またはＬＥＤ負荷９のいずれかが接続される。通常、出力端１０は、接続具１１および接続具１５に接続されている。
【００３３】
また、出力端１０の端子１０ａ，１０ｂ間には、電圧検出手段としての端子電圧検出回路３０が接続されている。端子電圧検出回路３０は、端子１０ａ，１０ｂ間に接続される擬似抵抗３の両端間電圧またはＬＥＤ負荷９の順電圧を検出する。擬似抵抗３は、自己診断をするために設けられたものであり、所定の抵抗値を有する固定抵抗からなっている。
【００３４】
そして、ＡＣ−ＤＣアダプター２５の出力間には、ＤＣ−ＤＣコンバーター３１が接続されている。このＤＣ−ＤＣコンバーター３１は、ＡＣ−ＤＣアダプター２５から出力された直流電圧（ＤＣ２４Ｖ）を例えばＤＣ１２Ｖに変換して出力するように形成されている。そして、ＤＣ−ＤＣコンバーター３１の出力間および入力間にそれぞれフォトカプラ３２の一次回路３２ａおよび二次回路３２ｂが接続されている。端子電圧検出回路３０が検出した擬似抵抗３の両端間電圧またはＬＥＤ負荷９の順電圧は、フォトカプラ３２の一次回路３２ａに入力され、二次回路３２ｂを介して検出電圧回路３３に入力され、検出電圧回路３３からマイコン１２に出力される。
【００３５】
図５に示すように、リレー２９を切り替えるリレー回路３４およびスイッチ回路３５は、接続手段４を形成し、定電流源２のＡＣ−ＤＣアダプター２５の正極側およびマイコン１２の間に接続されている。そして、マイコン１２からスイッチ回路３５に動作電源（ハイ信号）が供給されると、スイッチ回路３５がリレー回路３４を付勢（動作）させる。これにより、リレー２９が切り替わって、定電流源２の出力端１０の端子１０ａ，１０ｂ間に擬似抵抗３が接続される。なお、スイッチ回路３５は、符号を付さないバッファを介してマイコン１２に接続されている（以下のスイッチ等においても同様である。）。
【００３６】
マイコン１２は、５Ｖ電源３６から動作電源が供給されて動作する。この５Ｖ電源３６は、定電流源２のＡＣ−ＤＣアダプター２５の出力電圧（ＤＣ２４Ｖ）から形成されている。そして、５Ｖ電源３６およびマイコン１２の間には、動作モニター３７およびスイッチ回路３８が接続されている。マイコン１２は、動作すると、スイッチ回路３８に動作電源を供給して動作モニター３７を動作させる。動作モニター３７の視認により、マイコン１２の動作が確認される。また、５Ｖ電源３６およびマイコン１２の間には、選択スイッチ１７ａ，１７ｂおよびスタートスイッチ２２が接続されている。そして、ＡＣ−ＤＣアダプター２５の負極側およびマイコン１２の間には、リセットスイッチ１９が接続されている。
【００３７】
選択スイッチ１７ａ，１７ｂは、それぞれ押下されることによりユニット番号表示部１６に表示される番号１６ａを増減させるものである。ユニット番号表示部１６は、７セグメントディスプレイに形成されており、ハーネス３９，４０によりマイコン１２に接続されている。マイコン１２は、ユニット番号表示部１６に番号１６ａが設定されると、その番号１６ａのＬＥＤ負荷９（ＬＥＤ光源ユニット）が接続具１１または接続具１５に接続されているとするものである。
【００３８】
ＡＣ−ＤＣアダプター２５の出力間には、選択スイッチ１７ａの表示ランプ４１および選択スイッチ１７ｂの表示ランプ４２が接続されている。表示ランプ４１および表示ランプ４２は、商用交流電源Ｖｓが供給されている状態で、電源スイッチ２１のオンとともに点灯し続ける。
【００３９】
ＡＣ−ＤＣアダプター２５の正極側およびマイコン１２の間には、スタートスイッチ２２の表示ランプ４３およびスイッチ回路４４が接続されている。スタートスイッチ２２は、自己診断またはＬＥＤ負荷９の検査を開始するときに瞬時オンされる。スタートスイッチ２２がオンされると、マイコン１２は、スイッチ回路にロウ信号を出力し、スイッチ回路４４は、ロウ信号に応じて表示ランプ４３を消灯させる。マイコン１２は、通常、スイッチ回路４４にハイ信号を出力しており、スイッチ回路４４は、ハイ信号に応じて表示ランプ４３に電流を供給して表示ランプ４３を点灯させている。
【００４０】
また、マイコン１２は、通常、定電流回路２６およびマイコン１２間に接続されている反転回路４５にハイ信号を出力しており、反転回路４５は、ハイ信号に応じて定電流回路２６にオフ制御信号（ロウ信号）を出力して定電流回路２６から定電流を出力させないようにしている。そして、マイコン１２は、スタートスイッチ２２がオンされると、反転回路４５にロウ信号を出力し、反転回路４５は、ロウ信号に応じて定電流回路２６にオン制御信号（ハイ信号）を出力して定電流回路２６から定電流を出力させる。
【００４１】
ＡＣ−ＤＣアダプター２５の正極側およびマイコン１２の間には、リセットスイッチ１９の表示ランプ４６およびスイッチ回路４７が接続されている。リセットスイッチ１９は、マイコン１２の動作をリセットするときに瞬時オンされる。マイコン１２は、通常（待機時）、スイッチ回路４７にハイ信号を出力しており、スイッチ回路４７は、ハイ信号に応じて表示ランプ４６を点灯させている。そして、リセットスイッチ１９がオンされると、マイコン１２は、スイッチ回路４７にロウ信号を出力し、スイッチ回路４７は、ロウ信号に応じて表示ランプ４６を消灯させる。マイコン１２は、リセットが完了するまでロウ信号を出力する。
【００４２】
そして、ＡＣ−ＤＣアダプター２５の正極側およびマイコン１２の間には、ＬＥＤ負荷９の評価結果の表示部２０ａ，２０ｂがそれぞれに接続されたスイッチ回路４８，４９を介して、自己診断の評価結果の表示部１８ａ，１８ｂがそれぞれに接続されたスイッチ回路５０，５１、反転回路５２、論理積（ＡＮＤ）回路５３、論理積（ＡＮＤ）回路５４、上限レベル判定回路５５、下限レベル判定回路５６および平均値変換回路５７を介して、それぞれ接続されている。
【００４３】
マイコン１２は、ＬＥＤ負荷９の検査において、その評価結果が正常（ＯＫ）であると判定すると、スイッチ回路４８にハイ信号を出力して表示部２０ａを点灯させる。また、前記評価結果が不良（ＮＧ）であると判定すると、スイッチ回路４９にハイ信号を出力して表示部２０ｂを点灯させる。
【００４４】
そして、マイコン１２は、自己診断において、その評価結果が正常であると判定すると、ハイ信号を論理積回路５３に出力する。また、マイコン１２は、常時、動作信号例えばＤＣ５Ｖを平均値変換回路５７に出力している。平均値変換回路５７で平均化された動作信号は、それぞれ上限レベル判定回路５５および下限レベル判定回路５６に入力される。そして、上限レベル判定回路５５は、動作信号が第１の所定値例えば３Ｖ以上であると正常と判断してハイ信号を出力し、下限レベル判定回路５６は、動作信号が第２の所定値例えば１Ｖ以上であると正常と判断してハイ信号を出力する。論理積回路５４は、上限レベル判定回路５５および下限レベル判定回路５６からハイ信号が出力されると、ハイ信号を論理積回路５３に出力する。
【００４５】
論理積回路５３は、論理積回路５４からのハイ信号を入力している状態で、自己診断の評価結果のハイ信号が入力されると、ハイ信号をスイッチ回路５０に出力して表示部１８ａを点灯させる。また、論理積回路５３は、論理積回路５４からのハイ信号が入力されなく、または、自己診断の評価結果のハイ信号が入力されないと、ハイ信号を出力しない。反転回路５２からハイ信号がスイッチ回路５１に出力されて表示部１８ｂが点灯される。
【００４６】
マイコン１２は、ＣＰＵ（中央処理装置）５８、ＲＯＭ（リードオンリーメモリー）５９およびＲＡＭ（ランダムアクセスメモリー）６０を備え、ＲＯＭ５９に記憶されたプログラムに基づいてＣＰＵ５８が各種演算し、上記制御をするものである。そして、スイッチ回路３５を動作させてリレー回路３４およびリレー２９により擬似抵抗３またはＬＥＤ負荷９を定電流源２の出力端１０の端子１０ａ，１０ｂ間に接続させる。
【００４７】
そして、図４において、マイコン１２は、５Ｖ電源３６から動作電源が供給されて正常に動作すると、自己診断を行うものである。まず、定電流源２の定電流回路２６の出力間に擬似抵抗３を接続させる。すなわち、マイコン１２は、スイッチ回路３５に動作電源を供給する。これにより、リレー回路３４が動作して、リレー２９が切り替わり、出力端１０の端子１０ａ，１０ｂに擬似抵抗３が接続される
【００４８】
擬似抵抗３には、定電流回路２６から出力される定電流（３５０ｍＡ）が流れる。擬似抵抗３の両端間、すなわち出力端１０の端子１０ａ，１０ｂ間には、定電圧が発生する。この定電圧は、端子電圧検出回路３０により検出され、フォトカプラ３２の一次回路３２ａに入力され、一次回路３２ａからフォトカプラ３２の二次回路３２ｂに入力される。そして、検出電圧回路３３で再び定電圧にされてマイコン１２に入力される。
【００４９】
マイコン１２のＣＰＵ（中央処理装置）５８は、予め設定された基準値と比較し、検出電圧値が所定の基準値の範囲内であるか否かを判定する。そして、検出電圧値が所定の基準値の範囲内であると判定すると、論理積回路５３にハイ信号を出力する。これにより、論理積回路５３からスイッチ回路５０にハイ信号が出力されて、自己診断の表示部１８ａが点灯し、正常（ＯＫ）が報知される。また、検出電圧値が所定の基準値の範囲内にないと判定すると、ハイ信号を出力しない。これにより、反転回路５２からハイ信号がスイッチ回路５１に出力されて、自己診断の表示部１８ｂが点灯し、不良（ＮＧ）が報知される。
【００５０】
なお、基準値は、プログラムに書き込まれるに限らず、例えばＲＯＭ５９に記憶させてＲＯＭ５９から読み出すようにしてもよい。
【００５１】
このように、評価手段６および制御手段８からなるマイコン１２は、接続手段４、電圧検出手段５および表示手段７を順次制御し、擬似抵抗３の両端間電圧を予め設定された基準値と比較して評価し、ＬＥＤ負荷用チェッカー１が種類の異なるＬＥＤ負荷９を正常に検査できるか否かの自己診断を行うように形成されている。なお、制御手段８は、接続手段４、電圧検出手段５、評価手段６および表示手段７にそれぞれ設けられてもよい。
【００５２】
次に、本実施形態の作用について述べる。
【００５３】
電源スイッチ２１がオンされて、商用交流電源Ｖｓから定電流源２に入力電流が入力すると、定電流源２から５Ｖ電源３６に電源が供給される。そして、５Ｖ電源３６からマイコン１２に動作電源が供給されて、マイコン１２が動作する。
【００５４】
マイコン１２は、動作中、動作信号を平均値変換回路５７に出力する。動作信号が正常の範囲内であれば、論理積回路５４から論理積回路５３にマイコン１２が正常に動作していることを示すハイ信号が出力される。
【００５５】
そして、マイコン１２は、初期に動作すると、またはリセットされると、スイッチ回路３５にハイ信号を所定期間例えば５秒に亘って出力し、スイッチ回路４５にロウ信号を所定期間に亘って出力する。これにより、定電流源２の定電流回路２６の出力間に擬似抵抗３が接続され、定電流回路２６から定電流（３５０ｍＡ）が出力される。そして、擬似抵抗３に流れる定電流（３５０ｍＡ）によって発生する擬似抵抗３の両端間電圧が端子電圧検出回路３０によって検出され、フォトカプラ３２および検出電圧回路３３を介してマイコン１２に入力される。
【００５６】
マイコン１２は、検出電圧値を予め設定された基準値と比較する。そして、検出電圧値が基準値の範囲内であれば、論理積回路５３にハイ信号を出力し、正常（ＯＫ）を示す表示部１８ａを点灯させ、検出電圧値が基準値の範囲外であれば、論理積回路５３にハイ信号を出力せず、不良（ＮＧ）を示す表示部１８ｂを点灯させる。この表示部１８ａおよび表示部１８ｂの点灯をチェックすることにより、ＬＥＤ負荷用チェッカー１がＬＥＤ負荷９（ＬＥＤ光源ユニット）を正常に検査できるか否かを確認できる。
【００５７】
このように、ＬＥＤ負荷用チェッカー１は、容易に自己の正常な動作確認を行うことができて、これにより、種類の異なるＬＥＤ負荷９（ＬＥＤ光源ユニット）を正常に検査可能となる。
【００５８】
ＬＥＤ負荷９の検査時、ＬＥＤ負荷９は、ケーブルにより接続具１１または接続具１５に接続される。このとき、不動作のリレー２９は、ＬＥＤ負荷９を定電流源２の出力端１０の端子１０ａ，１０ｂに接続している。そして、選択スイッチ１７ａ，１７ｂを操作して、当該ＬＥＤ負荷９の番号をユニット番号表示部１６に表示させる。これにより、マイコン１２は、当該ＬＥＤ負荷９を検査可能となる。
【００５９】
そして、スタートスイッチ２２を瞬時オンすると、マイコン１２は、反転回路４５にロウ信号を出力し、定電流回路２６から定電流を出力させる。ＬＥＤ負荷９に定電流が流れ、ＬＥＤ負荷９の順電圧が定電流源２の出力端１０の端子１０ａ，１０ｂ間に発生する。ＬＥＤ負荷９の順電圧は、端子電圧検出回路３０によって検出され、フォトカプラ３２および検出電圧回路３３を介してマイコン１２に入力される。
【００６０】
マイコン１２は、ＬＥＤ負荷９の順電圧と、ＬＥＤ負荷９に対応して予め設定された検査用基準値と比較する。ここで、検査用基準値は、プログラムに書き込まれていてもよく、例えばＲＯＭ５９に記憶させていてもよい。
【００６１】
そして、マイコン１２は、ＬＥＤ負荷９の順電圧が検査用基準値の範囲内であれば、スイッチ回路４８にハイ信号を出力し、正常（ＯＫ）を示す表示部２０ａを点灯させ、ＬＥＤ負荷９の順電圧が検査用基準値の範囲外であれば、スイッチ回路４９にハイ信号を出力し、不良（ＮＧ）を示す表示部２０ｂを点灯させる。表示部２０ａおよび表示部２０ｂの点灯をチェックすることにより、ＬＥＤ負荷９が正常に動作するか否かを確認することができる。
【００６２】
そして、続けて次のＬＥＤ負荷９を検査する場合には、リセットスイッチ１９を瞬時オンする。これにより、マイコン１２は、初期化され、表示部２０ａ，２０ｂが消灯し、定電流回路２６の出力が遮断される。そして、検査するＬＥＤ負荷９を接続具１１または接続具１５に接続し、検査するＬＥＤ負荷９に割り当てられた番号をユニット番号表示部１６に表示させる。以下、上述のようにして検査される。
【００６３】
ＬＥＤ負荷用チェッカー１は、ユニット番号表示部１６を備えるので、複数種類のＬＥＤ負荷９を検査できるとともに、検査されるＬＥＤ負荷９の種類が増減してもプログラムの追加や修正等に対して対応できる。
【００６４】
本実施形態によれば、定電流源２の出力間に擬似抵抗３を接続し、この擬似抵抗３の両端間電圧と予め設定された基準値とを比較して評価し、その評価結果が自己診断の表示部１８ａ，１８ｂに表示されるので、ＬＥＤ負荷用チェッカー１が正常に動作してＬＥＤ負荷９が正常に検査できることを確認することができ、ＬＥＤ負荷９の検査結果に対する信頼性を向上させることができるという効果を有する。
【００６５】
また、評価手段６および制御手段８からなるマイコン１２は、定電流源２に入力電流が入力された初期の動作時またはリセットスイッチ１９がオンされてリセットされたときに、接続手段４により擬似抵抗３を定電流源２の出力間に接続させて、電圧検出手段５および表示手段７による一連の制御動作をさせるので、ＬＥＤ負荷用チェッカー１が正常に動作しているか否かの自己診断を容易にできるという効果を有する。
【００６６】
なお、本発明は、上記実施形態の構成に限定されることなく、発明の要旨を逸脱しない範囲で種々の変形が可能である。
【符号の説明】
【００６７】
１…ＬＥＤ負荷用チェッカー、２…定電流源、３…擬似抵抗、４…接続手段、５…電圧検出手段、６…評価手段、７…表示手段、１０…出力端
【図１】
2013097964.tif 000003
【図２】
2013097964.tif 000004
【図３】
2013097964.tif 000005
【図４】
2013097964.tif 000006
【図５】
2013097964.tif 000007